(57)【要約】      （修正有）【課題】より遊技者を楽しませるための演出手法を提示することができる遊技機を提供する。【解決手段】遊技者の所定の入力に応じて所定の遊技に関する抽選を行う手段と、抽選の結果を表示する手段と、遊技者に想起させる感覚に対応させた触力覚を遊技者に提示する触力覚提示装置１とを備える。【選択図】図１
2015146875.tif 000002
【特許請求の範囲】
【請求項１】
遊技者の所定の入力に応じて所定の遊技に関する抽選を行う手段と、
前記抽選の結果を表示する手段と、
前記遊技者に想起させる感覚に対応させた触力覚を前記遊技者に提示する触力覚提示装置と、
を備えることを特徴とする遊技機。
【請求項２】
前記触力覚提示装置は、前記抽選の結果に応じて、前記触力覚を提示することを特徴とする請求項１記載の遊技機。
【請求項３】
前記所定の遊技に関する演出を行う遊技機であり、
前記触力覚提示装置は、前記演出の内容に応じて、前記触力覚を提示することを特徴とする請求項１又は２記載の遊技機。
【請求項４】
前記所定の遊技に関する状態を管理する遊技機であり、
前記触力覚提示装置は、前記状態に応じて、前記触力覚を提示することを特徴とする請求項１ないし３の何れか一項記載の遊技機。
【請求項５】
前記触力覚提示装置は、
前記触力覚に対応する振動刺激又は電気刺激を制御するための信号値を設定する触力覚制御手段と、
前記触力覚制御手段により設定された信号値に従って、前記遊技者に前記振動刺激又は前記電気刺激を付与する触力覚付与手段と、
を有することを特徴とする請求項１ないし４何れか一項記載の遊技機。
【請求項６】
前記遊技機は、パチンコ機又はスロット機の何れかであり、
前記遊技機がパチンコ機である場合、
前記触力覚提示装置は、操作ハンドル、操作キー、操作ボタン、玉貸し・返却ボタン、受皿の少なくとも１つに設けられ、
前記遊技機がスロット機である場合、
前記触力覚提示装置は、ＢＥＴボタン、スタートレバー、回胴開始ボタン、回胴停止ボタン、操作キー、操作ボタン、投入口の少なくとも１つに設けられていることを特徴とする請求項１ないし５の何れか一項記載の遊技機。
【請求項７】
前記触力覚提示装置は、遊技者により操作される入力部であって、該遊技者による操作により前記所定の遊技に関する指示の各々を入力する入力部以外の領域に設けられていることを特徴とする請求項１ないし５の何れか一項記載の遊技機。
【発明の詳細な説明】
【技術分野】
【０００１】
本発明は、遊技機に関する。
【背景技術】
【０００２】
従来より、パチンコ機、スロット機（所謂パチスロ、カジノ向けスロットマシン）、カジノ向けビデオゲーミングマシン（ビデオポーカー、ビデオブラックジャック、ビデオルーレット、ビデオビンゴなど）などの遊技機においては、遊技者を楽しませるための演出・効果に関して、様々な工夫や試みが行われている。例えば、液晶表示装置等を用い、遊技者の視覚を通じて、大当たり等を期待させるための映像演出を表現するものがある。また、音出力装置等を用い、遊技者の聴覚を通じて、効果音演出を表現するものがある。
【０００３】
また、近年、演出の多様化がさらに進行しつつあり、例えばパチンコ機において、演出時、ハンドルを振動させたり（特許文献１）、ハンドルから風を送り出したりすることで（特許文献２）、体感的演出を実現するものもある。
【先行技術文献】
【特許文献】
【０００４】
【特許文献１】特開２００３−２８４８２９号公報
【特許文献２】特開２００９−１６０１６５号公報
【発明の概要】
【発明が解決しようとする課題】
【０００５】
しかしながら、遊技機においては、常日頃から遊技者を楽しませるための更なる新たな演出効果が求められており、遊技機メーカー各社においても、様々な演出手法の開発が進められている。
【０００６】
本発明は、上記の点に鑑み提案されたものであり、その目的とするところは、より遊技者を楽しませるための演出手法を提案することにある。
【課題を解決するための手段】
【０００７】
上記の課題を解決するため、本発明の一実施形態にかかる遊技機は、遊技者の所定の入力に応じて所定の遊技に関する抽選を行う手段と、前記抽選の結果を表示する手段と、前記遊技者に想起させる感覚に対応させた触力覚を前記遊技者に提示する触力覚提示装置とを備える。
【発明の効果】
【０００８】
本発明の一実施形態によれば、より遊技者を楽しませるための演出手法を提案することができる。
【図面の簡単な説明】
【０００９】
【図１】本発明の一実施形態に係る触力覚提示装置１の構成を示すブロック図である。
【図２】本発明の一実施形態に係るパチンコ機の外観図である。
【図３】本発明の一実施形態に係るパチンコ機の制御系構成を示す図である。
【図４】本発明の一実施形態に係る操作ハンドル１１４の一例（その１）を示す。
【図５】本発明の一実施形態に係る操作ハンドル１１４の一例（その２）を示す。
【図６】本発明の一実施形態に係るスロット機の外観構成を示す図である。
【図７】本発明の一実施形態に係るスロット機の制御系構成を示す図である。
【図８】本発明の一実施形態に係るスロット機の外観構成を示す図である。
【発明を実施するための形態】
【００１０】
以下、図面を参照して、本発明を実施するための形態について説明する。
【００１１】
なお、本明細書において、「遊技機」とは、パチンコ機、パチスロ機、カジノ向けゲーミングマシン（カジノ向けスロットマシン、ビデオポーカー、ビデオルーレット、ビデオブラックジャック、ビデオクラップス、ビデオキノ、ビデオビンゴなど）等、遊技者が所定の遊技を実行することが可能な装置である。すなわち、本発明の遊技機とは、所定の遊技に関する抽選を行い、該抽選結果を表示する機能を少なくとも備える装置である。
【００１２】
[触力覚提示装置]
図１は、本発明の一実施形態に係る触力覚提示装置１の構成を示すブロック図である。触力覚提示装置１は、主な機能部として、触力覚制御部２、触力覚付与部３を有する。
【００１３】
触力覚制御部２は、他の情報処理装置等（例えば、遊技機の制御基板）から、ユーザに知覚させたい触力覚の情報を受信すると、触力覚付与部３における、ユーザに知覚させたい触力覚を実現するための触力覚刺激の信号値を設定（決定）する。なお、触力覚制御部２の機能は、上記遊技機の制御基板等、他の制御装置（例えば、コンピュータ）に内蔵されていてもよい。
【００１４】
触力覚付与部３は、触力覚制御部２の制御の下、触力覚刺激の信号値が入力されると、入力信号値に従って、所定の触力覚刺激を遊技者に提示（出力）する。すなわち、触力覚付与部３は、該触力覚付与部３より実際には遊技者に付与されていないが、人の脳に該所定の感触を感じさせるための刺激（触力覚刺激）を遊技者に付与する。
【００１５】
触力覚提示装置１は、例えば、振動、電気、その他（超音波等）のメカニズムに基づく触力覚刺激を生成しこれを提示する。つまり、触力覚提示装置１は、触力覚刺激を用いてヒトの機械受容器および神経軸索の少なくとも一方を刺激することで、知覚させたい触力覚を遊技者に模擬的に知覚させる。
【００１６】
さて、人間の体性感覚は、大きく分けると、皮膚に由来する皮膚感覚と内部の筋や腱に由来する固有受容感覚に分けることができ、広い意味での触力覚を意味する。しかしながら、一般に触力覚というと前者を指すことが多く、具体的には、冷たい、熱い、柔らかい、硬い、痛い等の感覚を含む様々な皮膚感覚の中の接触覚や圧覚を意味することが多い。
【００１７】
皮膚感覚生成メカニズムにおいては、例えば、ヒトの皮膚に見られる機械受容器として、物体の端や小さな不規則性などの細かな変化に反応するマイスナー小体（ＲＡ）、物体の表面をなぞったときの振動に反応するパチニ小体（ＰＣ）、凹凸や輪郭からの圧力に反応するメルケル細胞（ＳＡＩ）、皮膚の曲げや圧縮に反応するルフィニ終末（ＳＡＩＩ）などが知られている。これら機械受容器には、神経軸索が接続されており、通常、ヒトは機械受容器を介して、各種の触力覚を知覚する。
【００１８】
触力覚（接触覚や圧覚を含む）は、各々のこれら受容器に対応しており、例えば、皮膚がへこんだり引っ張られたりした場合、その変形や振動が受容器に伝わり感覚が生じる。また、皮膚感覚においては、感覚点に対応する種々の感覚受容器があり、受容器には基本的に変位と速度と加速度を見るものがあり、それによって触れた物の細かいパターン等を認識している。
【００１９】
ここで、触力覚提示装置１において、このような触力覚刺激を再現するには、例えば、機械的に実現する手法や電気的に実現する手法などがある。
【００２０】
機械的手法では、振動子で振動を起こし、振動刺激による触力覚刺激を生成する。ヒトが想起する触力覚（感性）と、そのとき提示すべき振動の周波数とには、被験者に対する心理評価実験によって求めた相関関係があるため、機械的手法では、相関関係に基づく周波数で振動を起こし、ユーザに知覚させたい振動刺激を生成、提示するのである。
【００２１】
あるデータによれば、ヒトは、例えば、周波数が１Ｈｚ〜２Ｈｚ付近では、生物的、柔らかい、暖かいという感性を想起するといわれている。また、例えば、ヒトは、周波数５０Ｈｚ程度以上では、機械的、固い、冷たいという感性を想起する。また、例えば、ヒトは、周波数１０Ｈｚ付近では、これらのどちらでもない中立的な感性を想起する。
【００２２】
機械的手法の場合、触力覚付与部３は、入力された周波数での振動を維持可能な圧電素子や振動子、モータなどの機構により実現される。触力覚付与部３は、ユーザに対し知覚させたい触力覚刺激に対応する周波数帯の振動刺激を提示することで、例えば、生物的、柔らかい、暖かい、機械的、固い、冷たいといった感性を想起させることができる。
【００２３】
一方、電気的手法では、皮膚電極を介して電流を発生させ、電気刺激による触力覚刺激を生成する。同様に、ヒトが想起する触力覚（感性）と、提示すべき電流や周波数には、相関関係があるため、電気的手法でも、相関関係に基づく電流又は周波数を電極に流し、ユーザに知覚させたい電気刺激を生成、提示するのである。
【００２４】
ＳＡＩ受容器、ＰＣ受容器、ＲＡ受容器は、それぞれ電気刺激により、圧覚、高周波振動、低周波振動の感覚を生じることが分かっている。
【００２５】
例えば、圧覚のＳＡＩ受容器は、電流１．２ｍＡで微小なピリピリ間、１．６ｍＡで明確な電極形状の圧覚、３．２ｍＡで圧覚及び明確な振動感覚を生じさせる。なお、指の圧力を微小に変化させると、ナイフエッジ感覚であったものが、突然柔らかい弾性体を触っている感触になるというデータもある。
【００２６】
また、高周波振動のＰＣ受容器は、周波数（パルス振動数）が２００Ｈｚで音叉に接触している感覚、８００Ｈｚで強い振動特有のしびれ感覚を生じさせる。また、低周波振動のＲＡ受容器は、周波数が１００Ｈｚ以下とき、生成した感覚は、スピーカのコーン、音叉を触っている感覚を生じさせ、数Ｈｚでは衝突感を生じさせる。
【００２７】
電気的手法の場合、触力覚付与部３は、入力された電流を皮膚に荷電させるための電極（アレイ電極）などの機構より実現される。触力覚付与部３は、ユーザに対し知覚させたい触力覚に対応する電流や周波数の電気刺激を提示することで、例えば、圧覚、ナイフエッジ感覚、弾性体感覚、スピーカのコーン、音叉を触っている感覚、しびれ感覚といった感覚や感性を想起させることができる。
【００２８】
なお、機械的手法と電気的手法の違いは、前者は受容器を直接刺激するものであるのに対して、後者は受容器に繋がった神経軸索を刺激する点にある。また、近年では、機械的手法と電気的手法の他、超音波手法なども提案され始めているが、触力覚提示装置１は、ヒト（ユーザ）に与えたい感覚や感性を想起させるための触力覚刺激を提示しうる限りにおいて、いずれの手法でも構わない。
【００２９】
[第１実施形態]
第１実施形態においては、パチンコ機に対して、触力覚提示装置１を適用した例を示す。
【００３０】
（パチンコ機）
図２は、本発明の一実施形態に係るパチンコ機の外観図である。図２に示されるように、パチンコ機（弾球遊技機）１０は、前面枠１０１の前面に前面ガラス枠１０２が左方向に回動可能に取り付けられている。また、前面枠１０１の内側には、遊技盤１０３が設けられている。
【００３１】
遊技盤１０３には、複数釘により玉の落下経路が形成されており、大当たり演出等を表示する映像表示装置（液晶パネル）１０４、遊技球が入賞する毎に大当たり抽選を行う始動口１０５、大当たり発生時に開放する大入賞口１０６、非入賞の遊技球を排出する排出口１０７などが設けられている。また、前面枠１０１の下部には、遊技球の上受皿１０８及び下受皿１０９が設けられ、上受皿１０８には、例えば、玉貸し／返却ボタン１１０、十字操作キー１１１、操作ボタン（演出ボタン）１１２が設けられている。また、下部パネル１１３には、遊技球を発射するための操作ハンドル１１４が右方向に回動可能に取り付けられている。
【００３２】
本発明の一実施形態に係るパチンコ機１０は、いわゆるデジタルパチンコ機（デジパチ機）である。遊技者が貸出しボタン１１０を押下すると、遊技球が上受皿１０８上に貸与される。遊技者が操作ハンドル１１４への操作によって、貸与された遊技球の打ち出しを行うと、遊技盤１０３内に遊技球が打ち出される。打ち出された遊技球が始動口１０５に入賞すると、パチンコ機１０内部では、大当たり抽選が行われる。また、始動口１０５に遊技球が入賞するとほぼ同時に映像表示装置１０４に表示された図柄が変動し、大当たり抽選に当選した場合、例えば、停止図柄が揃うなどして、大当たり状態が発生する。
【００３３】
なお、映像表示装置１０４の図柄変動に伴い、大当たりへの期待を盛り上げるための各種演出が発生するが、演出の中には、例えば、遊技者に十字操作キー１１１で選択操作を促したり、操作ボタン（演出ボタン）１１２の押下を促すものがある。
【００３４】
図３は、本発明の一実施形態に係るパチンコ機の制御系構成を示す図である。図３に示されるように、パチンコ機１０は、基板系として、主基板１２０、周辺基板１２１、及び触力覚基板１２３を有している。
【００３５】
主基板１２０は、メイン制御部としての機能を有するメイン制御基板である。主基板１２０は、各種演算、パチンコ機１０の制御等を行うＣＰＵ１２０ａと、パチンコ機１０の各種制御プログラムや遊技抽選用の抽選テーブル等を記憶したＲＯＭ１２０ｂと、プログラムの作業領域としての又は一時的なデータの記憶等を行う書き換え可能なＲＡＭ１２０ｃと、ボタンやスイッチ等からの入力、周辺基板１２１や触力覚基板１２３にコマンドを送出する等の出力を行う入出力部１２０ｄとを備えている。
【００３６】
主基板１２０は、抽選処理、周辺基板１２１への演出用のコマンドの送出、触力覚基板１２３へのユーザに知覚させたい触力覚の情報の送出、遊技機に関する規則、規格等に基づいた動作を行うように構成されている。
【００３７】
周辺基板１２１は、サブ制御部としての機能を有するサブ制御基板である。周辺基板１２１は、主基板１２０から受信した遊技に要するコマンドに応じて演出処理を実行する。周辺基板１２１は、演算や映像表示装置１０４の制御等を行うＣＰＵ１２１ａと、映像表示装置１０４、照明装置１２５、スピーカ１２６の制御を行うプログラムを記憶したＲＯＭ１２１ｂと、プログラムの作業領域としての又は一時的なデータの記憶を行う書き換え可能なＲＡＭ１２１ｃと、映像表示装置１０４の駆動を行うＶＤＰ（Ｖｉｄｅｏ
Ｄｉｓｐｌａｙ Ｐｒｏｃｅｓｓｏｒ）１２１ｅと、スピーカ１２６から音声や効果音を発生するための音源ＩＣ１２１ｆと、入出力部１２１ｄとを備えている。
【００３８】
また、周辺基板１２１には、映像表示装置１０４、照明装置１２５及びスピーカ１２６によって様々な演出を行うための、画像データ等からなる演出データがＲＯＭ１２１ｂに記憶されている。周辺基板１２１は、主基板１２０から出力される信号によって、ＲＯＭ１２１ｂに記憶している演出データから演出内容を決定して、演出内容に基づいて映像表示装置１０４、照明装置１２５及びスピーカ１２６の駆動を行う。また、演出の一環として、例えば、映像表示装置１０４に、演出内容と連動させて、遊技者に十字操作キー１１１で選択操作を促したり、操作ボタン（演出ボタン）１１２の押下を促す表示を行って、大当たりへの期待を盛り上げる。また、演出内容と連動させて、ユーザに知覚させたい触力覚の情報を触力覚基板１２３に送出することで、触力覚付与デバイス１２３ｅを介して遊技者に触力覚刺激を提示する。
【００３９】
なお、周辺基板１２１は、映像表示装置１０４、照明装置１２５及びスピーカ１２６の演出を制御する演出制御部を有しており、演出制御部は、周辺基板１２１のＣＰＵ１２１ａが、ＲＯＭ１２１ｂに記憶された演出プログラムを実行することにより機能する。また、周辺基板１２１は、演出用の制御を行うものであるが、演出に関して遊技機に関する規則、規格等の制限を受けることがなく、このため、パチンコ機１０は、周辺基板１２１によって自由な演出が可能である。
【００４０】
触力覚基板１２３は、触力覚提示装置１の触力覚制御部２としての機能を有するサブ制御基板である。触力覚基板１２３は、主基板１２０や周辺基板１２１から受信したユーザに知覚させたい触力覚の情報に応じて、ユーザに知覚させたい触力覚を実現するための触力覚刺激の信号値を設定（決定）する。触力覚基板１２３は、演算や触力覚付与デバイス１２３ｅの制御等を行うＣＰＵ１２３ａと、触力覚刺激の信号値を設定するためのデータを記憶したＲＯＭ１２３ｂと、プログラムの作業領域としての又は一時的なデータの記憶を行う書き換え可能なＲＡＭ１２３ｃと、触力覚付与デバイス１２３ｅの駆動を行う入出力部１２３ｄとを備えている。
【００４１】
触力覚付与デバイス１２３ｅは、触力覚提示装置１の触力覚付与部３としての機能を有するデバイスである。触力覚付与デバイス１２３ｅは、触力覚基板１２３の制御の下、触力覚刺激の信号値が入力されると、入力信号値に従って、所定の触力覚刺激を遊技者に対して提示する。触力覚付与デバイス１２３ｅは、例えば、玉貸し／返却ボタン１１０、十字操作キー１１１、操作ボタン１１２、操作ハンドル１１４など、遊技者の接触する箇所の少なくとも１つに所望に応じて取り付けられる。このため、遊技者は、触力覚付与デバイス１２３ｅと接触することで、冷たい、熱い、柔らかい、硬い、痛い等の感覚を含む様々な皮膚感覚の中の所定の触力覚を知覚することができる。なお、触力覚刺激は、例えば、信号値により変更しうるが、信号値は、主基板１２０や周辺基板１２１から受信した触力覚の情報に基づいて設定される。すなわち、主基板１２０や周辺基板１２１が、遊技の状態（例えば、抽選結果、演出内容など）に応じて、ユーザに知覚させたい触力覚を制御する。
【００４２】
例えば、機械的手法の場合、触力覚基板１２３は、主基板１２０や周辺基板１２１から、ユーザに知覚させたい触力覚として、「暖かい」という情報を受信した場合、暖かいという触力覚を実現するための触力覚刺激の信号値として、周波数２Ｈｚを設定する。触力覚付与デバイス１２３ｅは、触力覚基板１２３の制御の下、触力覚刺激の信号値として、周波数２Ｈｚが入力されると、周波数２Ｈｚで振動子を振動させる。これにより、触力覚付与デバイス１２３ｅは、触力覚付与デバイス１２３ｅが取り付けられている操作ハンドル１１４に接触している遊技者に対し、該遊技者が物理的に温かいものを触っていないのにも関わらず暖かさを知覚させる触力覚刺激を提示する。なお、暖かさを一層引き立てるべく、予め、周波数５０Ｈｚ程度で振動子を振動させることで、触力覚付与デバイス１２３ｅが取り付けられている操作ハンドル１１４に接触している遊技者に対し、冷たいという触力覚刺激を提示してもよい。
【００４３】
このように、本実施形態では、操作ハンドル１１４を触っている遊技者に対して、「熱い」および「冷たい」という感覚を触力覚付与デバイス１２３ｅにより付与しているので、遊技者に対して「熱い」知覚と「冷たい」知覚との切替を瞬時に行うことができる。例えば、操作ハンドル１１４にヒータ等の温度調節部を設け、物理的に操作ハンドル１１４の温度を変化させて、遊技者への「熱い」感覚付与および「冷たい」感覚付与を切り替える場合、温度調整部により調整された操作ハンドル１１４の温度自体を上下させる必要がある。よって、例えば、「熱い」感覚付与から「冷たい」感覚付与に切り替える場合、物理的に熱くなった操作ハンドル１１４を冷まし、かつ所定の温度まで操作ハンドル１１４の温度を低下させなければならず、時間がかかってしまう。これに対して、本実施形態では、操作ハンドル１１４の実際の温度を変えることを要さないので、「熱い」感覚と「冷たい」感覚の切替を瞬時に行うことができる。
【００４４】
また、例えば、電気的手法の場合、触力覚基板１２３は、主基板１２０や周辺基板１２１から、ユーザに知覚させたい触力覚として、「圧覚」（何かしらの物体を感じさせる）という情報を受信した場合、圧覚という触力覚を実現するための触力覚刺激の信号値として、電流１．６ｍＡを設定する。触力覚付与デバイス１２３ｅは、触力覚基板１２３の制御の下、触力覚刺激の信号値として、電流１．６ｍＡが入力されると、電極に対し電流１．６ｍＡの電流を流すことで、触力覚付与デバイス１２３ｅが取り付けられている操作ハンドル１１４に接触している遊技者に対し、圧覚を知覚させる触力覚刺激を提示する。
【００４５】
また、パチンコ機１０は、図３に示すように、入力デバイスとして、上受皿１０８部分に、例えば、玉貸し／返却ボタン１１０、十字操作キー１１１、操作ボタン１１２を備える。
【００４６】
ここで、メイン制御部としての主基板１２０は、これらの入力デバイスから、入力操作信号を、入出力部１２０ｄを介して取得可能に構成されている。例えば、遊技者が十字操作キー１１１を押下した場合には、十字操作キー１１１から主基板１２０に対し、入力操作信号として、十字操作キー１１１の上、下、左、又は右の何れか押下されたことを示す信号が送信される。また、例えば、遊技者が操作ボタン１１２を押下した場合には、操作ボタン１１２から主基板１２０に対し、入力操作信号として、操作ボタン１１２が押下されたことを示す信号が送信される。このように、主基板１２０は、入力デバイスから入力操作信号を、入出力部１２０ｄを介して取得することで、遊技者が入力デバイスを押下したことを検知することができる。
【００４７】
操作ハンドル１１４は、遊技盤１０３に遊技球を打ち出すための操作部である。操作ハンドル１１４は発射装置と接続されており、発射装置は、前面ガラス枠１０２内側の遊技盤１０３に向かって、上受皿１０８から供給される遊技球を打ち出す。遊技者は、操作ハンドル１１４を右方向に回転させるほど強い勢いで遊技球を打ち出せる。
【００４８】
始動口スイッチ１２８は、始動口１０５に設けられ、打ち出された遊技球の始動口１０５への入賞を検知すると、始動口検知信号を主基板１２０に送信する。一方、主基板１２０は、始動口検知信号を受信すると、大当たり抽選を行うとともに、周辺基板１２１に検知信号を送信し、映像表示装置１０４に表示されている図柄を変動させる。
【００４９】
大入賞口スイッチ１２９は、大入賞口１０６に設けられ、遊技球の大入賞口１０６への入賞を検知すると、大入賞口検知信号を主基板１２０に送信する。主基板１２０は、大入賞口検知信号を受信すると、払出ユニット（図示せず）に所定数の遊技球の払い出しを実行させる。
【００５０】
（触力覚刺激の提示例１）
パチンコ機１０の操作ハンドル１１４に、触力覚付与デバイス１２３ｅを取り付けた場合の例を示す。
【００５１】
図４は、本発明の一実施形態に係る操作ハンドル１１４の一例（その１）を示す。遊技者は、遊技中、操作ハンドル１１４を握っている。このため、操作ハンドル１１４の外周のメッキパーツ部分に、触力覚付与デバイス１２３ｅを取り付ける。
【００５２】
一例として、リーチ演出中、今回大当たり期待値が特に高いリーチであることを示唆するため、演出内容を司る周辺基板１２１は、そのタイミングで、ユーザに知覚させたい触力覚（熱い・高温）の情報を、触力覚基板１２３に送信する。触力覚基板１２３は、主基板１２０又は周辺基板１２１から抽選結果（例えば、大当たりに当選）に応じて受信される触力覚（熱い・高温）の情報に従って、触力覚（熱い・高温）を実現するための触力覚刺激の信号値を設定（決定）する。触力覚付与デバイス１２３ｅは、触力覚基板１２３の制御の下、熱い・高温という触力覚刺激の信号値が入力されると、入力信号値に従って、遊技者が熱い・高温と仮想的に知覚する触力覚刺激を提示する。
【００５３】
また、一例として、映像表示装置１０４において、岩を砕くイメージで図柄を破壊しながら大当たり図柄へ向かってコマ送りするといったリーチ演出中、演出内容を司る周辺基板１２１は、そのタイミングで、ユーザに知覚させたい触力覚（硬い）の情報を、触力覚基板１２３に送信する。触力覚基板１２３は、周辺基板１２１から演出内容に応じて受信される触力覚（硬い）の情報に従って、触力覚（硬い）を実現するための触力覚刺激の信号値を設定（決定）する。触力覚付与デバイス１２３ｅは、触力覚基板１２３の制御の下、硬いという触力覚刺激の信号値が入力されると、入力信号値に従って、遊技者が硬いと仮想的に知覚する触力覚刺激を提示する。
【００５４】
また、一例として、パチンコ機１０の特定状態中（例えば、確率変動状態中）、演出内容を司る周辺基板１２１は、そのタイミングで、ユーザに知覚させたい触力覚（熱い・高温）の情報を、触力覚基板１２３に送信する。触力覚基板１２３は、主基板１２０又は周辺基板１２１から遊技状態（例えば、確率変動状態中）に応じて受信される受信した触力覚（熱い・高温）の情報に応じて、触力覚（熱い・高温）を実現するための触力覚刺激の信号値を設定する。触力覚付与デバイス１２３ｅは、触力覚基板１２３の制御の下、熱い・高温という触力覚刺激の信号値が入力されると、入力信号値に従って、遊技者が熱い・高温と知覚する触力覚刺激を提示する。一方、パチンコ機１０の非状態中（例えば、通常変動状態中）、遊技者が冷たい・低温と知覚する触力覚刺激を提示しうる。
【００５５】
図５は、本発明の一実施形態に係る操作ハンドル１１４の一例（その２）を示す。操作ハンドル１１４の手のひら接触部分に、触力覚付与デバイス１２３ｅを取り付ける。
【００５６】
一例として、図５に示されるように、操作ハンドル１１４には、触力覚付与デバイス１２３ｅとしての電極１２３ｅ−１が複数設けられている。複数の電極１２３ｅ−１は、上方から下方に向かってアレイ状に配列されており、上方から下方に向かって、第１の電極列Ａ１、第２の電極列Ａ２、・・・第ｋの電極列Ａｋ（ｋは３以上の整数）として配列されている。すなわち、電極列をｎ個（ｎは２以上の整数）配列させている。
【００５７】
同一列内における隣り合う電極間の距離、および各電極において、隣接する電極列の最も近い電極までの距離は共に、遊技球（パチンコ玉）の直径である１１ｍｍに設定されている。よって、仮想的な遊技球１２３ｅ−２を想定すると、電極１２３ｅ−１の各々について、最も近い隣の電極１２３ｅ−１までの距離は、２つの仮想的な遊技球１２３ｅ−２が接する場合の仮想的な遊技球１２３ｅ−２の中心間距離に対応する。
【００５８】
また、電極１２３ｅ−１の面積は、遊技玉が遊技者の手のひらに触れた際、遊技者の手のひらに接する面積にすることが好ましい。例えば、遊技球１２３ｅ−２は遊技者の手に直径２ｍｍの領域で接すると仮定して、電極１２３ｅ−１の面積を１２．５６ｍｍ２と設定すればよい。
【００５９】
触力覚基板１２３は、例えば、大当たりの際に出玉が上受皿１０８又は下受皿１０９に払い出されるタイミングと同期させて、第１の電極列Ａ１、第２の電極列Ａ２・・・、第ｋの電極列Ａｋといったように、各々の電極１２３ｅ−１への電流付与のタイミングを順番にずらして付与する。なお、例えば、各々の電極１２３ｅ−１へは、３．２ｍＡの電流を付与することで、遊技者の圧覚のＳＡＩ受容器に、圧覚及び明確な振動感覚を生じさせうる。
【００６０】
このようにすることで、重力方向に上受皿１０８又は下受皿１０９に払い出される遊技球を触っている感覚、いわゆる出玉感（ジャラジャラ感）を、操作ハンドル１１４を握る遊技者の手のひらに提示することができる。すなわち、遊技者は、操作ハンドル１１４を握っている手が、実際には触っていない遊技玉にあたかも触っているかのように知覚できる。
【００６１】
また、遊技店舗等では、例えば、コスト面や規制、その他の要請から、実際の遊技球（鉄球、真ちゅう球など）を使用しない場合（例えば、封入式パチンコなど）であっても、遊技者は仮想的ながら、出玉感の醍醐味を楽しむことも可能となる。
【００６２】
なお、上述の距離１１ｍｍ、電極の面積の数値自体はこれに限られず、遊技玉の出玉感を出すことができる数値であれば、いずれの値も採用可能である。
【００６３】
このように、操作ハンドル１１４は、遊技者が遊技中は常に接触している箇所であるため、操作ハンドル１１４を介して様々なタイミングで、ユーザに知覚させたい触力覚刺激を提示し仮想的に知覚させることができる。
【００６４】
（触力覚刺激の提示例２）
パチンコ機１０の十字操作キー１１１、操作ボタン１１２などの操作パーツに、触力覚付与デバイス１２３ｅを取り付けた場合の例を示す。
【００６５】
演出の一環として大当たりへの期待を盛り上げる遊技者参加型システムにおいて、例えば、映像表示装置１０４に演出内容と連動させて、遊技者に十字操作キー１１１で選択操作を促したり、操作ボタン１１２の押下を促す表示を行う。
【００６６】
演出内容を司る周辺基板１２１は、表示のタイミングで、ユーザに知覚させたい触力覚の情報を、触力覚基板１２３に送信する。触力覚基板１２３は、周辺基板１２１から演出内容に応じて受信される触力覚の情報に従って、触力覚を実現するための触力覚刺激の信号値を設定する。十字操作キー１１１、操作ボタン１１２に取り付けられた触力覚付与デバイス１２３ｅは、触力覚基板１２３の制御の下、触力覚刺激の信号値が入力されると、入力信号値に従って、遊技者が知覚する触力覚刺激を提示する。
【００６７】
遊技者は、指先又は手のひら全体で十字操作キー１１１、操作ボタン１１２に接触するので、操作パーツに対して触力覚付与デバイス１２３ｅを取り付けることで、触力覚刺激を遊技者に提示することが可能である。
【００６８】
一例として、遊技者が十字操作キー１１１の上、左、又は右のいずれかを選択（押下）した場合、その押下感覚に差異をつける。具体的には、進行ルートを選択する演出時など、正解ルートは柔らかいボタンの質感を、非正解ルート（行き止まり）は硬いボタンの質感を知覚させることで、演出と一体感のある体感型として提供することが可能である。
【００６９】
また、一例として、操作ボタン１１２連打中、その感触が変化し、操作ボタン１１２が柔らかくなるといった体感的な驚きを提示する。具体的には、扉を開ける演出時など、ボタンの質感を徐々に変えることで、扉の重みをリアルに表現し、演出と一体感のある体感型として提供することも可能である。
【００７０】
また、その他にも、演出上の生物やキャラクターと触れ合うような演出内容の場合、触力覚付与デバイス１２３ｅを搭載したキャラクター型操作パーツ（例えば、キャラクター人形）を用いることで、演出上の生物やキャラクターを実際に触っているかのような感覚を提供することが可能となる。また、演出上、子犬や子猫などを可愛がるようなものがあるが、それらの温かみを感じることが可能となる。
【００７１】
（触力覚刺激の提示例３）
パチンコ機１０の上受皿１０８又は下受皿１０９に、触力覚付与デバイス１２３ｅを取り付けた場合の例を示す。
【００７２】
遊技中、遊技者は右手で操作ハンドル１１４を操作する間、左手は遊技に関与しておらず遊んでいる状態となる場合が多い。そのようなとき、遊技者が何気なく左手で上受皿１０８又は下受皿１０９を接触した際、上受皿１０８又は下受皿１０９に取り付けた触力覚付与デバイス１２３ｅを介して、触力覚刺激を知覚させる。このように構成することで、通常の遊技時では遊んでいる手により、演出に関連した感触（触力覚刺激）を味わうことができる。また、遊技の指示入力とは関係無い領域（例えば、上受皿１０８、下受皿１０９など）に触力覚付与デバイス１２３ｅを設けることにより、遊技に関する指示の各々を入力する操作を片方の手で行いながら、該操作を行っていない、通常は遊んでいる手により、触力覚による演出を楽しむことができる。すなわち、上記遊技に関する指示の各々を遊技者に入力させる入力デバイス（ここでは、貸出ボタン１１０、十字操作キー１１１、操作ボタン１１２、操作ハンドル１１４など）以外の領域に設けることにより、遊技操作中においても上記入力とは関係無い手により所定の演出を遊技者に感じさせることができる。
【００７３】
（触力覚刺激の提示例４）
パチンコ機１０の玉貸し／返却ボタン１１０に、触力覚付与デバイス１２３ｅを取り付けた場合の例を示す。
【００７４】
遊技者は遊技玉の貸与を受ける場合、玉貸し１１０を押下する。よって、遊技を開始する遊技者が必ず接触する箇所であり、玉貸し／返却ボタン１１０に取り付けた触力覚付与デバイス１２３ｅを介して、触力覚刺激を知覚させる。
【００７５】
但し、心理上、遊技者が玉貸し１１０を押下するタイミングにおいて、心理上、良い心理方向ではない場合が多い。しかしながら、玉貸し１１０の触り心地によっては、心理的状態の緩和に寄与しうる。また、押しても嫌な気がしない、また押してみたいと思わせる知覚を提示させる。
【００７６】
[第２実施形態]
第２実施形態においては、スロット機（パチスロ機）に対して、触力覚提示装置１を適用した例を示す。
【００７７】
（スロット機）
図６は、本発明の一実施形態に係るスロット機の外観構成を示す図である。図６に示されるように、スロット機２０は、所謂「パチスロ機」と称されるゲーム遊技装置であり、図柄の組合せによってメダルの獲得数を増やすことを楽しむものである。
【００７８】
スロット機２０は、筐体の前面上部に設けられた、様々な演出等を表示する液晶画面等の映像表示装置２００を備えている。映像表示装置２００の下方の中央の透明板に覆われた内側には、回胴の表示窓２０１と、メダル保有数を表示するためのメダル保有数表示部２０３とが設けられている。
【００７９】
表示窓２０１には、３つの縦長矩形の図柄表示窓２０１ａ、２０１ｂ、２０１ｃが並列に配されており、各図柄表示窓２０１ａ〜２０１ｃには、それぞれ外周の前面部分を表示させた３個の回胴２０２ａ、２０２ｂ、２０２ｃが回転自在に設けられている。回胴２０２ａ〜２０２ｃは、偏平円筒状をなし外周面に複数種の図柄が一周に亘って配列されたものである。かかる回胴２０２ａ〜２０２ｃが左右水平方向に指向した回転中心軸を中心に回転自在に支持され、それぞれステップモータ（図示せず）により同一方向に回転され、各図柄表示窓２０１ａ〜２０１ｃには対応する回胴２０２ａ〜２０２ｃの前面に位置した３個の図柄が表示される。３個の回胴２０２ａ〜２０２ｃが停止した状態で、各回胴２０２ａ〜２０２ｃにつき３個の図柄が表示される。よって、全体で９個の図柄が、３行３列に配置されることになり、上中下ラインの水平一直線の３行及び中央の図柄を通る斜めライン一直線の２行の合計５行のラインが入賞ラインとなる（但し、機種によっては、例えば、中ラインの水平一直線の１行のみのものもある）。
【００８０】
また、表示窓２０１の右側には、再遊技、スタート、ウエイト等のプレイ状態を示す表示器２０４が設けられている。表示窓２０１及び表示器２０４の下端は若干前方に張り出しており、その上面右端にはメダル投入口２０５が配設され、左端にはＭＡＸＢＥＴボタン２０６ａ、２ＢＥＴボタン２０６ｂ、１ＢＥＴボタン２０６ｃ、十字操作キー２０７、操作ボタン２０８が配置される。
【００８１】
また、ＭＡＸＢＥＴボタン２０６ａのすぐ下方の張出部には、遊技者が遊技開始時に操作して、各回胴の回転及び当選役の抽選の開始を行うための操作レバーであるスタートレバー２０９が配置される。そして、スタートレバー２０９の左下方には、精算ボタン２１０が配置される。また、張出部の前面には３個の回胴２０２ａ〜２０２ｃの下方にそれぞれ対応して、停止操作部としての第１回胴停止ボタン２１１ａ、第２回胴停止ボタン２１１ｂ、第３回胴停止ボタン２１１ｃが配設されている。第１回胴停止ボタン２１１ａは、第１回胴２０２ａの回転を停止させ、第２回胴停止ボタン２１１ｂは、第２回胴２０２ｂの回転を停止させ、第３回胴停止ボタン２１１ｃは、第３回胴２０２ｃの回転を停止させるための操作ボタンである。なお、本実施形態では、回胴停止ボタンを３個としているが、４個以上であっても良い。
【００８２】
また、筐体の下部には、メダルの払出し口２１２があり、受皿２１３が前方に突設されていて、筐体内部に設けられたホッパーユニット（図示せず）により排出されたメダルが払出し口２１２から受皿２１３に払い出される。筐体の側板に沿ってスピーカ２１４が内蔵されており、種々の効果音を発音するようになっている。
【００８３】
図７は、本発明の一実施形態に係るスロット機の制御系構成を示す図である。図７に示すように、スロット機２０は、基板系として、主基板２２０、周辺基板２２１、及び触力覚基板２２３を有している。
【００８４】
主基板２２０は、メイン制御部としての機能を有するメイン制御基板である。主基板２２０は、各種演算、スロット機２０の制御等を行うＣＰＵ２２０ａと、スロット機２０の各種制御プログラムや遊技抽選用の抽選テーブル等を記憶したＲＯＭ２２０ｂと、プログラムの作業領域としての又は一時的なデータの記憶等を行う書き換え可能なＲＡＭ２２０ｃと、ボタンやスイッチ等からの入力、ＬＥＤ等への出力、回胴ユニット２２４等の駆動振動や周辺基板２２１にコマンドを送出を行う入出力部２２０ｄとを備えている。
【００８５】
主基板２２０は、抽選処理、回胴ユニット２２４の制御、周辺基板２２１への演出用のコマンドの送出、触力覚基板２２３へのユーザに知覚させたい触力覚の情報の送出、遊技機に関する規則、規格等に基づいた動作を行うように構成されている。
【００８６】
周辺基板２２１は、サブ制御部としての機能を有するサブ制御基板である。周辺基板２２１は、主基板２２０から受信した遊技に要するコマンドに応じて演出処理を実行する。周辺基板２２１は、演算や映像表示装置２００の制御等を行うＣＰＵ２２１ａと、映像表示装置２００、照明装置２２５、スピーカ２１４の制御を行うプログラムを記憶したＲＯＭ２２１ｂと、プログラムの作業領域としての又は一時的なデータの記憶を行う書き換え可能なＲＡＭ２２１ｃと、映像表示装置２００の駆動を行うＶＤＰ２２１ｅ、スピーカ２１４から音声や効果音を発生するための音源ＩＣ２２１ｆ、照明等の駆動を行う入出力部２２１ｄとを備えている。
【００８７】
また、周辺基板２２１には、映像表示装置２００、照明装置２２５及びスピーカ２１４によって様々な演出を行うための、画像データ等からなる演出データがＲＯＭ２２１ｂに記憶されている。周辺基板２２１は、主基板２２０から出力される信号によって、ＲＯＭ２２１ｂに記憶している演出データから演出内容を決定して、演出内容に基づいて映像表示装置２００、照明装置２２５及びスピーカ２１４の駆動を行う。例えば、映像表示装置２００に、停止ボタンの押し順の提示等を行って、遊技者を支援する演出を行う。
【００８８】
また、周辺基板２２１は、演出の一環として、例えば、映像表示装置２００に、演出内容と連動させて、遊技者に十字操作キー２０７で選択操作を促したり、操作ボタン２０８の押下を促す表示を行って、大当たりへの期待を盛り上げる。また、演出内容と連動させて、ユーザに知覚させたい触力覚の情報を触力覚基板２２３に送出することで、触力覚付与デバイス２２３ｅを介して遊技者に触力覚刺激を提示する。
【００８９】
なお、周辺基板２２１は、映像表示装置２００、照明装置２２５及びスピーカ２１４の演出を制御する演出制御部を有しており、演出制御部は、周辺基板２２１のＣＰＵ２２１ａが、ＲＯＭ２２１ｂに記憶された演出プログラムを実行することにより機能する。また、周辺基板２２１は、演出用の制御を行うものであるが、演出に関して遊技機に関する規則、規格等の制限を受けることがなく、このため、スロット機２０は、周辺基板２２１によって自由な演出が可能である。
【００９０】
触力覚基板２２３は、触力覚提示装置１の触力覚制御部２としての機能を有するサブ制御基板である。触力覚基板２２３は、主基板２２０や周辺基板２２１から受信したユーザに知覚させたい触力覚の情報に応じて、ユーザに知覚させたい触力覚を実現するための触力覚刺激の信号値を設定（決定）する。触力覚基板２２３は、演算や触力覚付与デバイス２２３ｅの制御等を行うＣＰＵ２２３ａと、触力覚刺激の信号値を設定するためのデータを記憶したＲＯＭ２２３ｂと、プログラムの作業領域としての又は一時的なデータの記憶を行う書き換え可能なＲＡＭ２２３ｃと、触力覚付与デバイス２２３ｅの駆動を行う入出力部２２３ｄとを備えている。
【００９１】
触力覚付与デバイス２２３ｅは、触力覚提示装置１の触力覚付与部３としての機能を有するデバイスである。触力覚付与デバイス２２３ｅは、触力覚基板２２３の制御の下、触力覚刺激の信号値が入力されると、入力信号値に従って、遊技者に触力覚刺激を提示する。触力覚付与デバイス２２３ｅは、例えば、ＭＡＸＢＥＴボタン２０６ａ、２ＢＥＴボタン２０６ｂ、１ＢＥＴボタン２０６ｃ、十字操作キー２０７、操作ボタン２０８、スタートレバー２０９、精算ボタン２１０、第１回胴停止ボタン２１１ａ、第２回胴停止ボタン２１１ｂ、第３回胴停止ボタン２１１ｃ、メダル投入口２０５など、遊技者の接触する箇所に取り付けられる。このため、遊技者は、触力覚付与デバイス２２３ｅと接触することで、冷たい、熱い、柔らかい、硬い、痛い等の感覚を含む様々な皮膚感覚の中の所定の触力覚を知覚することができる。なお、触力覚刺激は、例えば、信号値により変更しうるが、信号値は、主基板２２０や周辺基板２２１から受信した触力覚の情報に基づいて設定される。すなわち、主基板２２０や周辺基板２２１が、遊技の状態（例えば、演出内容）に応じて、ユーザに知覚させたい触力覚刺激を制御する。
【００９２】
また、スロット機２０は、図７に示すように、入力デバイスとして、ドアベース（図示せず）の前面に配されたＭＡＸＢＥＴボタン２０６ａ、２ＢＥＴボタン２０６ｂ、１ＢＥＴボタン２０６ｃ、十字操作キー２０７、操作ボタン２０８、スタートレバー２０９、精算ボタン２１０、第１回胴停止ボタン２１１ａ、第２回胴停止ボタン２１１ｂ、第３回胴停止ボタン２１１ｃを備える。
【００９３】
ここで、メイン制御部としての主基板２２０は、これらの入力デバイスから、入力操作信号を、入出力部２２０ｄを介して取得可能に構成されている。例えば、遊技者がＭＡＸＢＥＴボタン２０６ａを押下した場合には、ＭＡＸＢＥＴボタン２０６ａから主基板２２０に対し、入力操作信号として、ＭＡＸＢＥＴボタンが押下されたことを示す遊技者押下信号が送信される。主基板２２０は、ＭＡＸＢＥＴボタン２０６ａから入力操作信号としての遊技者押下信号を、入出力部２２０ｄを介して取得することで、遊技者がＭＡＸＢＥＴボタン２０６ａを押下したことを検知することができる。
【００９４】
また、回胴ユニット２２４は、第１回胴２０２ａ、第２回胴２０２ｂ及び第３回胴２０２ｃを、それぞれ回転させるためのステッピングモータを備えた第１回胴駆動部２２４ａ、第２回胴駆動部２２４ｂ、第３回胴駆動部２２４ｃを有し、各回胴を独立して回転、停止することが可能となっている。また、回胴ユニット２２４は、第１回胴２０２ａ、第２回胴２０２ｂ及び第３回胴２０２ｃの各回胴の回転中の位置を検出するための第１回胴位置センサ２２４ｄ、第２回胴位置センサ２２４ｅ及び第３回胴位置センサ２２４ｆを有している。例えば、回転中の第１回胴の所定の位置を第１回胴位置センサ２２４ｄで検出し、第１回胴位置センサ２２４ｄで検出した第１回胴の所定の位置からステッピングモータを駆動したパルス数をカウントすることにより、第１回胴の位置情報を得ることができる。同様に、第２回胴及び第３回胴についても、第２回胴位置センサ２２４ｅ及び第３回胴位置センサ２２４ｆによりそれぞれの回胴の位置情報を得ることができる。
【００９５】
（触力覚刺激の提示例５）
スロット機２０のＢＥＴボタン（ＭＡＸＢＥＴボタン２０６ａ、２ＢＥＴボタン２０６ｂ、及び１ＢＥＴボタン２０６ｃ）、スタートレバー２０９、回胴停止ボタン（第１回胴停止ボタン２１１ａ、第２回胴停止ボタン２１１ｂ、及び第３回胴停止ボタン２１１ｃ）に、触力覚付与デバイス２２３ｅを取り付けた場合の例を示す。
【００９６】
遊技者は、遊技中、ＢＥＴボタン、スタートレバー２０９及び回胴停止ボタンを操作する。このため、ＢＥＴボタン、スタートレバー２０９及び回胴停止ボタンの表面パーツ部分に、触力覚付与デバイス２２３ｅを取り付ける。
【００９７】
一例として、遊技者がＢＥＴボタンを押すタイミングを図って、触力覚付与デバイス２２３ｅを介して、突如ＢＥＴボタンが柔らかくなる知覚を提示する。ＢＥＴボタンが柔らかくなった場合、例えば、既にボーナス役が成立済みであることの示唆演出として活用しうる。
【００９８】
また、一例として、スロット遊技には、フリーズ演出とよばれるゲーム性が搭載されるものがあるが、映像表示装置２００において、このフリーズ演出時、”スタートレバー２０９を長押し”と遊技者に促し、遊技者がスタートレバー２０９を押しているタイミングを図って、触力覚付与デバイス２２３ｅを介して、突如スタートレバー２０９が柔らかくなる知覚を提示する。また、特定図柄当選時、成立役ごとに対応させた異なる知覚を提示するようにすることで、スタートレバー２０９を押した際の知覚を通じて、遊技者は当選している成立役を察知しうる。
【００９９】
また、一例として、遊技者が回胴停止ボタンを押すタイミングを図って、触力覚付与デバイス２２３ｅを介して、突如回胴停止ボタンが柔らかくなる知覚を提示する。例えば、回胴停止ボタンを押した際の知覚を通じて、遊技者は成立役の当選を察知しうる。また、成立役図柄によっては、回胴停止ボタンを押した際の知覚を通じて、遊技者は目押しの成否（取りこぼしの有無）を察知しうる。また、柔らかい回胴停止ボタンを押した場合には、回胴駆動速度を制御して、通常時又は硬い場合と比べ、回胴の停止速度が遅くなるような演出も行いうる。
【０１００】
演出内容を司る周辺基板２２１は、そのタイミングで、ユーザに知覚させたい触力覚（柔らかい）の情報を、触力覚基板２２３に送信する。触力覚基板２２３は、主基板２２０又は周辺基板２２１から遊技状態（例えば、ボーナス役に当選済み）、演出内容（例えば、フリーズ演出）、又は抽選結果（例えば、小役やボーナス役に当選）に応じて受信される触力覚（柔らかい）の情報に応じて、触力覚（柔らかい）を実現するための触力覚刺激の信号値を設定（決定）する。触力覚付与デバイス２２３ｅは、触力覚基板２２３の制御の下、硬いという触力覚刺激の信号値が入力されると、入力信号値に従って、遊技者が柔らかいと知覚する触力覚刺激を提示する。
【０１０１】
勿論、触力覚基板２２３は、柔らかいという知覚のほかにも、周辺基板２２１から受信した触力覚の情報に従って、冷たい、熱い、硬い、痛い等の感覚を含む様々な皮膚感覚の中の触力覚刺激を提示しうる。
【０１０２】
（その他）
スロット機２０の十字操作キー２０７、操作ボタン２０８などの操作パーツに、触力覚付与デバイス２２３ｅを取り付けることも可能である。遊技者参加型システムにおいて、スロット機２０は、演出内容と連動させて、十字操作キー２０７又は操作ボタン２０８の操作を遊技者に促し、触力覚付与デバイス２２３ｅを介して、演出に応じた様々な知覚を提示する。
【０１０３】
また、スロット機２０のメダル投入口２０５、精算ボタン２１０に、触力覚付与デバイス２２３ｅを取り付けることも可能である。メダル投入口２０５は、遊技に伴うメダル投入の際、遊技者が接触する箇所である。精算ボタン２１０は、主に遊技終了時などに、内部貯留されたメダルを精算する際、遊技者が接触する箇所である。心理上、遊技者が精算ボタン２１０、メダル投入口２０５を押下するタイミングにおいて、心理上、良い心理方向ではない場合が多い。しかしながら、精算ボタン２１０、メダル投入口２０５の触り心地によっては、心理的状態の緩和に寄与しうる。また、押しても嫌な気がしない、また押してみたいと思わせる知覚を提示させる。
【０１０４】
[第３実施形態]
第３実施形態においては、スロット機（カジノスロット機）に対して、触力覚提示装置１を適用した例を示す。
【０１０５】
（スロット機）
図８は、本発明の一実施形態に係るスロット機の外観構成を示す図である。図８に示されるように、スロット機３０は、カジノスロット機と称されるゲーム遊技装置であり、図柄の組合せによってメダルの獲得数を増やすことを楽しむものである。なお、カジノスロット機と称されるスロット機３０は、は、図６に示されるパチスロ機と違いの大きな違いの一つとして、遊技者が自ら回胴を停止させるか、自動的に回胴が停止するかの点がある。
【０１０６】
スロット機３０は、筐体の前面上部に設けられた、様々な演出等を表示する液晶画面等の映像表示装置３００を備えている。映像表示装置３００の下方の中央の透明板に覆われた内側には、回胴の表示窓３０１と、メダル保有数を表示するためのメダル保有数表示部３０３とが設けられている。
【０１０７】
表示窓３０１には、３つの縦長矩形の図柄表示窓３０１ａ、３０１ｂ、３０１ｃが並列に配されており、各図柄表示窓３０１ａ〜３０１ｃには、それぞれ外周の前面部分を表示させた３個の回胴３０２ａ、３０２ｂ、３０２ｃが回転自在に設けられている。回胴３０２ａ〜３０２ｃは、偏平円筒状をなし外周面に複数種の図柄が一周に亘って配列されたものである。かかる回胴３０２ａ〜３０２ｃが左右水平方向に指向した回転中心軸を中心に回転自在に支持され、それぞれステップモータ（図示せず）により同一方向に回転され、各図柄表示窓３０１ａ〜３０１ｃには対応する回胴３０２ａ〜３０２ｃの前面に位置した３個の図柄が表示される。３個の回胴３０２ａ〜３０２ｃが停止した状態で、各回胴３０２ａ〜３０２ｃにつき３個の図柄が表示される。よって、全体で９個の図柄が、３行３列に配置されることになり、中ラインの水平一直線の１行のラインが入賞ラインとなる（但し、機種によっては、例えば、上中下ラインの水平一直線の３行及び中央の図柄を通る斜めライン一直線の２行の合計５行のラインが入賞ラインのものもある）。
【０１０８】
また、表示窓３０１の下端は若干前方に張り出しており、その上面右端にはメダル投入口３０４及び紙幣投入口３０５が配設され、左端には呼出ボタン３０６、精算ボタン３０７、スピンボタン３０８、１ＢＥＴボタン３０９ａ、ＭＡＸＢＥＴボタン３０９ｂが配置される。なお、本スロット機３０は、コイン投入後、回胴３０２ａ、３０２ｂ、３０２ｃの回転を開始させる場合、スタートレバーに代え、スピンボタン３０８を押下する。
【０１０９】
また、筐体の下部には、メダルの払出し口３１０があり、受皿３１１が前方に突設されていて、筐体内部に設けられたホッパーユニット（図示せず）により排出されたメダルが払出し口３１０から受皿３１１に払い出される。筐体の側板に沿ってスピーカ３１２が内蔵されており、種々の効果音を発音するようになっている。また、筐体の上板には、ランプ３１３が設けられており、大当たり時などに点灯又は点滅するようになっている。
【０１１０】
以上、本実施形態に係るスロット機３０の外観構成である。なお、本実施形態に係るスロット機３０の制御系構成について、主な構成は図７に準ずるため、再度の説明は省略する。
【０１１１】
（触力覚刺激の提示例６）
スロット機３０のスピンボタン３０８に、触力覚付与デバイス２２３ｅを取り付けた場合の例を示す。
【０１１２】
遊技者は、遊技中、スピンボタン３０８を操作する。このため、スピンボタン３０８の表面パーツ部分に、触力覚付与デバイス２２３ｅを取り付ける。なお、スピンボタン３０８は、スタートレバー２０９と同じように、回胴回転を開始させるための回胴開始ボタンである。
【０１１３】
一例として、遊技者がスピンボタン３０８を押すタイミングを図って、触力覚付与デバイス２２３ｅを介して、突如スピンボタン３０８が柔らかくなる知覚を提示する。例えば、特定図柄当選時、当選成立役ごとに対応させた異なる知覚を提示するようにすることで、スピンボタン３０８を押した際の知覚を通じて、遊技者は成立役の当選を察知しうる。また、柔らかい回胴停止ボタンを押した場合には、回胴駆動速度を制御して、通常時又は硬い場合と比べ、回胴の回転速度が遅くなるような演出も行いうる。
【０１１４】
本実施形態においても、演出内容を司る周辺基板２２１（図７参照）は、そのタイミングで、ユーザに知覚させたい触力覚（柔らかい）の情報を、触力覚基板２２３に送信する。触力覚基板２２３は、周辺基板２２１から受信した触力覚（柔らかい）の情報に応じて、触力覚（柔らかい）を実現するための触力覚刺激の信号値を設定する。触力覚付与デバイス２２３ｅは、触力覚基板２２３の制御の下、硬いという触力覚刺激の信号値が入力されると、入力信号値に従って、遊技者が柔らかいと知覚する触力覚刺激を提示する。
【０１１５】
勿論、触力覚基板２２３は、柔らかいという知覚のほかにも、周辺基板２２１から受信した触力覚の情報に従って、冷たい、熱い、硬い、痛い等の感覚を含む様々な皮膚感覚の中の触力覚刺激を提示しうる。例えば、触力覚付与デバイス２２３ｅをスピンボタン３０８に設け、映像表示装置３００にて炎の演出を行う場合、該炎の演出の直後のゲーム開始時に触力覚付与デバイス２２３ｅによりスピンボタン３０８を熱く知覚するように制御する。これにより、遊技者は、実際には物理的に熱く無いスピンボタン３０８により前回の演出の余韻を楽しむことができる。
【０１１６】
[変形例]
遊技機の椅子に、触力覚付与デバイスを取り付けた場合の例を示す。遊技者は遊技中、椅子に着座するため、遊技開始時から遊技終了時までの間、椅子に設けられた触力覚付与デバイスｅを介して触力覚を知覚させる。
【０１１７】
例えば、一例として、遊技者が長時間の遊技を快適に行えるように、遊技者が着席後からの座部の暖かく知覚させたり、遊技者着座後からしばらくの間は椅子を柔らかく感じるよう知覚させるなどすることで、遊技機の稼働率の向上への取り組みに利用する。また、各機種の演出内容と連動させ、例えば、各種の知覚刺激を提示することも可能である。
【０１１８】
遊技機本体と椅子とは予め通信可能に接続されており、椅子に取り付けられた触力覚付与デバイスは、遊技機本体の触力覚基板から受信される触力覚刺激の入力信号値に従って、遊技者が知覚する各種の触力覚刺激を提示する。
【０１１９】
また、遊技中（着席中）において、例えば、遊技機が有する映像表示装置にて炎の演出を行う場合、該炎の演出中に椅子に設けられた触力覚付与デバイスにより遊技者に対して熱い触力覚を提示しても良い。また、例えば、遊技機が有する映像表示装置にて凍っていた氷が炎により融ける演出の場合、上記氷の演出時には椅子に設けられた触力覚付与デバイスにより遊技者に対して冷たい触力覚を提示し、上記融ける瞬間に椅子に設けられた触力覚付与デバイスにより遊技者に対して熱い触力覚を提示しても良い。このとき、椅子は実際には物理的に温度は劇的に変化してない（冷たい状態から熱い状態への温度変化が無い）ので、遊技者の近くを、冷たい知覚から熱い知覚に瞬間的に変えることができる。
【０１２０】
このように、遊技の指示入力とは関係無い領域である椅子に触力覚付与デバイス１２３ｅを設けることにより、遊技者にとっては想定していない領域により、遊技者に様々な感触を味あわせることができる。
【０１２１】
以上、本実施形態に係る遊技機は、触力覚提示装置を備えており、遊技者の接触する様々な箇所には、触力覚付与デバイスが取り付けられ得る。遊技機は、抽選結果、演出内容、遊技状態などと連動させて、接触箇所を介して遊技者に知覚させたい触力覚刺激を付与する。これにより、遊技者は、遊技と連動しつつ、自身の触覚を通じて様々な触力覚を知覚することが可能となるため、遊技をより一層楽しむことができる。また、遊技機は、抽選結果、演出内容、遊技状態などと連動させながら様々な触力覚刺激を付与することで、様々な演出手法を提案し、より遊技者を楽しませることが可能である。
【０１２２】
以上、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【０１２３】
１          触力覚提示装置
２          触力覚制御部
３          触力覚付与部
１０        パチンコ機
２０        スロット機
３０        スロット機
【図１】
2015146875.tif 000003
【図２】
2015146875.tif 000004
【図３】
2015146875.tif 000005
【図４】
2015146875.tif 000006
【図５】
2015146875.tif 000007
【図６】
2015146875.tif 000008
【図７】
2015146875.tif 000009
【図８】
2015146875.tif 000010